(57)【要約】【課題】各端末器との間で情報交換をしてそれらの状態を監視しているときに、情報交換の精度の善し悪しによって、すなわち、信号線や通信ラインの状態の良否によって、同一端末器との情報交換の回数を最適な回数に可変させることにより、伝送の信頼性を確保したまま、いたずらに監視時間をかけないようにできるポーリング伝送制御方法を提供する。【解決手段】メインマイコンが予め設定された重複回数でそれぞれのサブマイコンに対して問い合わせを循環的に実行している途中で、サブマイコンからの返信信号を不良と判断したときには、それ以降のサブマイコンに対する重複した問い合わせ回数を、それ以前の重複回数よりも増加変更させて問い合わせを循環的に継続して行うことを特徴とする。【選択図】図１
2004120214.tif 000002
【特許請求の範囲】
【請求項１】
メインマイコンから複数のサブマイコンに対して、アドレスを順次指定しながら問い合わせを循環的に行う際に、それぞれのサブマイコンに重複した問い合せを行ってサブマイコンからの返信信号を解読処理するポーリング伝送制御方法において、
上記メインマイコンが予め設定された重複回数でそれぞれのサブマイコンに対して問い合わせを循環的に実行している途中で、サブマイコンからの返信信号を不良と判断したときには、それ以降のサブマイコンに対する重複した問い合わせ回数を、それ以前の重複回数よりも増加変更させて問い合わせを循環的に継続して行うことを特徴とするポーリング伝送制御方法。
【請求項２】
請求項１において、
上記メインマイコンから複数のサブマイコンに対する重複した問い合わせ回数を増加させてポーリング伝送制御を継続して実行している途中で、上記サブマイコンからの返信信号に対する不良の判断がなくなったときには、増加させた重複問い合わせ回数を最初の初期値に復帰させて、問い合わせを循環的に継続して行うことを特徴とするポーリング伝送制御方法。
【請求項３】
請求項１または２において、
メインマイコンより重複問い合わせを行ったサブマイコンからの返信信号が不良と判断する毎に、それ以降のサブマイコンに対する重複した問い合わせ回数を、順次多段階に増加させるようにしていることと特徴とするポーリング伝送制御方法。
【請求項４】
メインマイコンと複数のサブマイコンとは信号線、バスなどで接続され、
上記メインマイコンは、
上記複数のサブマイコンに対して、所定の順序で順次アドレスを指定して、問い合わせを行うポーリング伝送処理部と、
上記サブマイコンのそれぞれから受信した返信信号の良、不良を判断するポーリング結果判別手段と、
複数のサブマイコンに対して、所定の順序で順次アドレスを指定して、問い合わせを行う際に、その重複回数を可変させるためのポーリング重複回数変更手段とを備え、
上記サブマイコンのそれぞれは、
上記メインマイコンから指定されたアドレスの一致を判別して、一致している場合には、上記メインマイコンに対して返信信号を返信する伝送処理部を備えており、
上記メインマイコンのポーリング重複回数変更手段は、上記ポーリング伝送処理部が問い合わせを行ったサブマイコンからの返信信号が不良と判断したときには、それ以降のサブマイコンに対する問い合わせ重複回数を増加させる構成にしている多重伝送制御システム。
【請求項５】
請求項４において、
上記メインマイコンは、防災受信機内に設けた中央処理部に組み込まれており、
上記複数のサブマイコンは、上記中央処理部にバスによって接続され、それぞれが地区灯や、複数の火災感知器を多重伝送線を介して接続付加した感知器回線などの、機能ユニットのコントローラとして使用されている多重伝送制御システム。
【請求項６】
請求項４において、
上記メインマイコンは、防災受信機に多重伝送線を介して接続された中継器内に設けた多重伝送信号処理手段を含んだメインコントローラとして構成されており、
上記複数のサブマイコンは、上記防災中継器の多重伝送信号処理部に多重信号線を介して接続された防災端末機として構成されている多重伝送制御システム。
【請求項７】
メインマイコンから複数のサブマイコンに対して、それぞれのアドレスを順次指定しながら問い合わせを循環的に行って、受信したサブマイコンからの返信信号を解読処理する際に、ポーリングの循環回数を予め設定した回数に区切って解読処理するポーリング伝送制御方法において、
メインマイコンが、サブマイコンから受信した返信信号を、予め設定された循環ポーリング回数に区切って蓄積し、解読処理している途中で、いずれかのサブマイコンからの返信信号を不良と判断したときには、サブマイコンの返信信号を解読処理するため、返信信号を蓄積すべき循環ポーリング回数を、それ以前の回数よりも増加させて、問い合わせを循環的に継続して実行することを特徴とするポーリング伝送制御方法。
【請求項８】
請求項７において、
ポーリングの循環回数を予め設定した回数に区切って解読処理した結果、サブマイコンからの返信信号に対する不良の判断がなくなったときには、解読処理の対象となるポーリングの循環回数を最初の初期値に復帰させて、問い合わせを循環的に継続して行うことを特徴とするポーリング伝送制御方法。
【請求項９】
請求項７または８において、
メインマイコンより問い合わせを行ったサブマイコンからの返信信号が不良と判断する毎に、それ以降のサブマイコンに対して、解読処理の対象となるポーリングの循環回数を、順次多段階に増加させるようにしていることを特徴とするポーリング伝送制御方法。
【請求項１０】
メインマイコンと複数のサブマイコンとは信号線、バスなどで接続され、
上記メインマイコンは、
上記複数のサブマイコンに対して、所定の順序で順次アドレスを指定して、問い合わせを行う伝送処理部と、
上記サブマイコンのそれぞれから受信した返信信号の良、不良を判断するポーリング結果判別手段と、
複数のサブマイコンからの返信信号を解読する際に、解読処理の対象基準となるポーリング循環回数を可変させるためのポーリング循環回数変更手段とを備え、
上記サブマイコンのそれぞれは、
上記メインマイコンから指定されたアドレスの一致を判別して、一致している場合には、上記メインマイコンに対して返信信号を返信する手段を備えており、上記メインマイコンのポーリング循環回数変更手段は、実行中の循環回数に基づいて、サブマイコンに対する問い合わせに応答したサブマイコンからの返信信号が不良と判断したときには、次の解読処理の対象基準となるポーリング循環回数を増加させる構成にしている、多重伝送制御システム。
【請求項１１】
請求項１０において、
上記メインマイコンは、防災受信機の多重伝送信号処理手段として構成されており、
上記複数のサブマイコンは、上記防災受信機に多重伝送線を通じて接続された防災中継器の多重伝送信号処理手段として構成されている、多重伝送制御システム。
【請求項１２】
請求項１０において、
上記メインマイコンは、防災中継器の多重伝送信号処理手段として構成されており、
上記複数のサブマイコンは、上記防災中継器に多重伝送線を通じて接続された防災端末器として構成されている多重伝送制御システム。
【発明の詳細な説明】
【０００１】
【発明の属する技術分野】
本発明は、ポーリング伝送制御方法、及び、この方法を使用した多重伝送制御システムに関する。
【０００２】
【従来の技術】
従来より、自動火災報知システムなど、多重伝送制御システムが広く使用されており、その一例が特許文献１に開示されている。
【０００３】
このものでは、受信機から各端末器に対して、各々のアドレスを順次指定した問い合わせを行い、各端末器からの状態を返信信号として受け取るという情報交換を循環的に行って、各端末器の状態を監視しているが、受信機と各端末器との伝送の信頼性向上のために、各端末器との情報交換を予め定められた回数分重複して行っている。
【０００４】
そのため、仮に１度、外来ノイズの混入などにより返信信号の内容に異常が生じても、正常な返信信号を受信でき、システムの信頼性を高めることができる。
【０００５】
【特許文献１】
特開平９−２７００８０号公報
【発明が解決しようとする課題】
ところが、上記した従来のシステムでは、受信機と各端末器との情報交換の回数は、情報交換の精度の善し悪しにかかわらず、予め定められた回数が決まっているため、その回数設定時に数値を大きく設定すれば、各端末器の監視に時間がかかってしまう一方、少なくすれば、外来ノイズなどの混入による異常な返信信号に基づいて、端末器の状態を判断してしまうおそれがある。
【０００６】
本発明は、上記事情を考慮してなされたものであり、各端末器との間で情報交換をしてそれらの状態を監視しているときに、信号線や通信ラインの状態によって、同一端末器との情報交換の回数を最適な回数に可変させることにより、伝送の信頼性を確保したまま、いたずらに監視時間をかけないようにできるポーリング伝送制御方法、及び、これを使用した多重伝送制御システムを提供することを目的としている。
【０００７】
【課題を解決するための手段】
上記目的を達成するために、本発明の請求項１〜６は第１の本発明を提案している。請求項１〜３はポーリング伝送制御方法について提案している。
【０００８】
すなわち、請求項１は、メインマイコンから複数のサブマイコンに対して、アドレスを順次指定しながら問い合わせを循環的に行う際に、それぞれのサブマイコンに重複した問い合せを行ってサブマイコンからの返信信号を解読処理するポーリング伝送制御方法において、メインマイコンが予め設定された重複回数でそれぞれのサブマイコンに対して問い合わせを循環的に実行している途中で、サブマイコンからの返信信号を不良と判断したときには、それ以降のサブマイコンに対する重複した問い合わせ回数を、それ以前の重複回数よりも増加変更させて問い合わせを循環的に継続して行うことを特徴とする。
【０００９】
これにより、信号線や通信ラインの状態変化に応じて、同一のサブマイコンとの情報交換の回数を最適な回数に可変させることにより、伝送の信頼性を確保したまま、いたずらに監視時間をかけないようにできる。
【００１０】
請求項２は、メインマイコンから複数のサブマイコンに対する重複した問い合わせ回数を増加させてポーリング伝送制御を継続して実行している途中で、サブマイコンからの返信信号に対する不良の判断がなくなったときには、増加させた重複問い合わせ回数を最初の初期値に復帰させて、問い合わせを循環的に継続して行うことを特徴とする。
【００１１】
これにより、信号線や通信ラインの状態が良くなれば、重複問い合わせ回数を減らすことができ、監視時間の軽減ができる。
【００１２】
請求項３は、メインマイコンより重複問い合わせを行ったサブマイコンからの返信信号が不良と判断する毎に、それ以降のサブマイコンに対する重複した問い合わせ回数を、順次多段階に増加させるようにしていることと特徴とする。
【００１３】
これにより、信号線や通信ラインの状態が悪くなるにつれて、同一のサブマイコンに対する問い合わせ回数が増えるため、返信信号の信頼性を向上させることができる。
請求項４〜６は、ポーリング伝送制御方法の実施に使用する多重伝送制御システムについて提案している。
【００１４】
すなわち、請求項４は、メインマイコンと複数のサブマイコンとは信号線、バスなどで接続され、メインマイコンは、複数のサブマイコンに対して、所定の順序で順次アドレスを指定して、問い合わせを行うポーリング伝送処理部と、サブマイコンのそれぞれから受信した返信信号の良、不良を判断するポーリング結果判別手段と、複数のサブマイコンに対して、所定の順序で順次アドレスを指定して、問い合わせを行う際に、その重複回数を可変させるためのポーリング重複回数変更手段とを備え、サブマイコンのそれぞれは、メインマイコンから指定されたアドレスの一致を判別して、一致している場合には、メインマイコンに対して返信信号を返信する伝送処理部を備えており、メインマイコンのポーリング重複回数変更手段は、ポーリング伝送処理部が問い合わせを行ったサブマイコンからの返信信号が不良と判断したときには、それ以降のサブマイコンに対する問い合わせ重複回数を増加させる構成にしている。
【００１５】
これにより、請求項１〜３の方法を実施する多重伝送制御システムが提供できる。
【００１６】
請求項５は、メインマイコンは、防災受信機内に設けた中央処理部に組み込まれており、複数のサブマイコンは、中央処理部にバスによって接続され、それぞれが地区灯や、複数の火災感知器を多重伝送線を介して接続付加した感知器回線などの、機能ユニットのコントローラとして使用されている。
【００１７】
これにより、請求項１〜３の方法を実施する防災受信機を提供できる。
【００１８】
請求項６は、メインマイコンは、防災受信機に多重伝送線を介して接続された中継器内に設けた多重伝送信号処理手段を含んだメインコントローラとして構成されており、複数のサブマイコンは、防災中継器の多重伝送信号処理部に多重信号線を介して接続された防災端末機として構成されている。
【００１９】
これにより、防災中継器と防災端末器とで、請求項１〜３の方法を実施するシステムが構築でき、防災受信機の処理負担が軽減する。
【００２０】
また、請求項７〜１２は第２の本発明を提案している。請求項７〜９はポーリング伝送制御方法について提案している。
【００２１】
すなわち、請求項７は、メインマイコンから複数のサブマイコンに対して、それぞれのアドレスを順次指定しながら問い合わせを循環的に行って、受信したサブマイコンからの返信信号を解読処理する際に、ポーリングの循環回数を予め設定した回数に区切って解読処理するポーリング伝送制御方法において、メインマイコンが、サブマイコンから受信した返信信号を、予め設定された循環ポーリング回数に区切って蓄積し、解読処理している途中で、いずれかのサブマイコンからの返信信号を不良と判断したときには、サブマイコンの返信信号を解読処理するため、返信信号を蓄積すべき循環ポーリング回数を、それ以前の回数よりも増加させて、問い合わせを循環的に継続して実行することを特徴とする。
【００２２】
これにより、、ポーリングの循環回数を最適な回数に可変させることにより、伝送の信頼性を確保したまま、いたずらに監視時間をかけないようにできる。
【００２３】
請求項８は、ポーリングの循環回数を予め設定した回数に区切って解読処理した結果、サブマイコンからの返信信号に対する不良の判断がなくなったときには、解読処理の対象となるポーリングの循環回数を最初の初期値に復帰させて、問い合わせを循環的に継続して行うことを特徴とする。
【００２４】
これにより、信号線や通信ラインの状態が良くなれば、ポーリングの循環回数が減らせ、監視時間の軽減ができる。
【００２５】
請求項９は、メインマイコンより問い合わせを行ったサブマイコンからの返信信号が不良と判断する毎に、それ以降のサブマイコンに対して、解読処理の対象となるポーリングの循環回数を、順次多段階に増加させるようにしていることを特徴とする。
【００２６】
これにより、信号線や通信ラインの状態が悪くなるにつれて、同一のサブマイコンに対する問い合わせ回数が増えるため、返信信号の信頼性を向上させることができる。
【００２７】
請求項１０〜１２は、請求項４〜６は、ポーリング伝送制御方法の実施に使用する多重伝送制御システムについて提案している。
【００２８】
すなわち、請求項１０は、メインマイコンと複数のサブマイコンとは信号線、バスなどで接続され、メインマイコンは、複数のサブマイコンに対して、所定の順序で順次アドレスを指定して、問い合わせを行う伝送処理部と、サブマイコンのそれぞれから受信した返信信号の良、不良を判断するポーリング結果判別手段と、複数のサブマイコンからの返信信号を解読する際に、解読処理の対象基準となるポーリング循環回数を可変させるためのポーリング循環回数変更手段とを備え、サブマイコンのそれぞれは、メインマイコンから指定されたアドレスの一致を判別して、一致している場合には、メインマイコンに対して返信信号を返信する手段を備えており、メインマイコンのポーリング循環回数変更手段は、実行中の循環回数に基づいて、サブマイコンに対する問い合わせに応答したサブマイコンからの返信信号が不良と判断したときには、次の解読処理の対象基準となるポーリング循環回数を増加させる構成にしている。
【００２９】
これにより、請求項７〜９の方法を実施する多重伝送制御システムを提供することができる。
【００３０】
請求項１１は、メインマイコンは、防災受信機の多重伝送信号処理手段として構成されており、複数のサブマイコンは、防災受信機に多重伝送線を通じて接続された防災中継器の多重伝送信号処理手段として構成されている。
【００３１】
これにより、防災受信機と防災中継器とで、請求項７〜９の方法を実施するシステムが構築できる。
【００３２】
請求項１２は、メインマイコンは、防災中継器の多重伝送信号処理手段として構成されており、複数のサブマイコンは、防災中継器に多重伝送線を通じて接続された防災端末器として構成されている。
【００３３】
これにより、防災中継器と防災端末器とで、請求項７〜９の方法を実施するシステムが構築でき、防災受信機の処理負担が軽減する。
【００３４】
【発明の実施の形態】
以下に、本発明の実施の形態について、図面とともに説明する。まず、第１の本発明につき、ポーリング伝送制御方法について、図１、２とともに説明する。
【００３５】
本方法によれば、メインマイコン１から複数のサブマイコン２に対して、アドレスを順次指定しながら問い合わせを循環的に行う際に、それぞれのサブマイコン２に重複した問い合せを行ってサブマイコンからの返信信号を解読処理する際に、メインマイコン１が予め設定された重複回数でそれぞれのサブマイコン２に対して問い合わせを循環的に実行している途中で、サブマイコン２からの返信信号を不良と判断したときには、それ以降のサブマイコン２に対する重複した問い合わせ回数を、それ以前の重複回数よりも増加変更させて問い合わせを循環的に継続して行う。
【００３６】
すなわち、図１のフローチャートを用いて詳しく説明すれば、メインマイコン１には、初期値として重複回数を例えば２回と設定しており、ポーリング伝送制御開始時には、この初期値を読み取り（１００）、ステップ１０１〜１０３、１０５の処理を循環的に実行する。
【００３７】
すなわち、初期値を読み取ってから（１００）、各サブマイコン２に対して、読み取った重複回数（初期値）分、送信信号を送出し（１０１）、各サブマイコン２からの返信信号を解読して（１０２，１０３）、外来ノイズなどの混入による信号フォーマットの化けの有無を判断し、信号フォーマットの化けがあれば、重複回数の増加設定をする（１０４）。
【００３８】
なお、信号フォーマットの化けがないと判断すれば、返信信号の内容に基づいてそのサブマイコン２に制御信号を送り、制御部による制御をさせる。ここで、制御信号の種類としては例えば警報制御信号があり、制御部としては防排煙機器の制御部がある。その場合、防排煙機器が作動される。
【００３９】
また、各サブマイコン２からの返信信号が全くなければ受信エラーを報知し（１０５）、次のサブマイコン２への送信信号を送出する。
【００４０】
ここで、このようなステップ１０３、１０４の処理は、重複回数分返ってきた返信信号がここでは２個あるので、そのうちいずれか１個でも信号化けがあれば、信号化けがあるものと判断し、重複回数の増加設定をすればよい。
【００４１】
なお、２個の返信信号のすべてが信号化けしていれば、ステップ１０４の処理をすることがいうまでもない。
【００４２】
ステップ１０４で重複回数の増加設定をしてからは、メインマイコン１は、その回数を読み取り、次のサブマイコン２以降についての問い合わせを、その重複回数分循環的に行う。
【００４３】
なお、増加設定のパターンとしては、２回→３回→４回と順次多段階的に増加するパターンや、２回→５回、２回→６回とランダムに増加するパターンなどがあり、増加設定した後の信号化けの判断は、重複回数が例えば５回ならば、返信信号５個全てが信号化けしていればステップ１０４に進むパターン、返信信号５個中過半数である３個が信号化けしていればステップ１０４に進むパターンなどがある。
【００４４】
また、重複回数を増加設定した後、その回数で問い合わせ処理を循環的にしている際に、各サブマイコン２からの返信信号が一定個数信号化けしていなければ（１０６）、重複回数を初期値に変更設定し（１０７）、次のサブマイコン２からはその初期値で送信信号を送出する。
【００４５】
なお、このような処理は、各サブマイコン２からの返信信号が５個であれば５個すべて信号化けしていないと判断したときや、過半数である３個信号化けしていないと判断したときに、重複回数を初期値に戻せばよい。
【００４６】
また、一定個数のサブマイコン２からの返信信号を監視し、その個数のサブマイコン２から１度も文字化けした返信信号がないときや、受信した返信信号中、信号化けしていないものが過半数未満であるときに、重複回数を初期値に戻してもよい。
【００４７】
このような処理をすることにより、サブマイコン２との情報交換の精度の善し悪し、すなわち、信号線や通信ラインの状態に応じて、同一のサブマイコン２との情報交換の回数を最適な回数に可変させることにより、伝送の信頼性を確保したまま、いたずらに監視時間をかけないようにできる。
【００４８】
次に、第１の本発明につき、多重伝送制御システムについて、図３〜５とともに説明する。図３は、本システムの概略構成の一例を示している。
【００４９】
このものでは、メインマイコン１と複数のサブマイコン２とは信号線ＬやバスＢなどで接続されている。
【００５０】
メインマイコン１は、複数のサブマイコン２に対して、所定の順序で順次アドレスを指定して、信号線ＬやバスＢを通じて送信信号を送ることによって、状態問い合わせを行うポーリング伝送処理部１０と、サブマイコン２のそれぞれから受信した返信信号の良、不良、すなわち、返信信号の信号化けの有無を判断するポーリング結果判別手段１１と、複数のサブマイコン２に対して、所定の順序で順次アドレスを指定して、問い合わせを行う際に、その重複回数を可変させるためのポーリング重複回数変更手段１２とを備える。
【００５１】
一方のサブマイコン２は、メインマイコン１から指定されたアドレスの一致を判別して、一致している場合には、メインマイコン１に対して返信信号を返信する伝送処理部２０を備える。
【００５２】
このような構成によれば、ポーリング伝送処理部１０は、同一のサブマイコン２に対して送信信号を送出する重複回数が格納されており、必要に応じてその重複回数を読み出し、その回数分、同一のサブマイコン２に対して送信信号を送出し、返ってきた返信信号の内容により、サブマイコン２に対する制御を行う。
【００５３】
なお、読み出した重複回数分送信信号を送っても全く返信がない場合は、そのサブマイコン２については受信エラーと判断し、次のサブマイコン２への問い合わせを行う。
【００５４】
また、ポーリング結果判断手段１１は、先述の問い合わせによって返ってきた返信信号の状態により、信号化けの有無を判断する。すなわち、返信信号を解読して、外来ノイズなどによる信号化けがあるかどうかを判断する。
【００５５】
更に、ポーリング重複回数変更手段１２は、ポーリング結果判断手段１１による判断結果によって、重複回数の加減設定を行う。
【００５６】
このような構成とすることにより、上記したポーリング伝送制御方法を実現することができる。
【００５７】
図４、５は、第１の本発明システムの具体的な構成例を示している。すなわち、図４では、メインマイコン１は、防災受信機Ｒ内に設けた中央処理部に組み込まれており、複数のサブマイコン２は、中央処理部にバスＢによって接続され、それぞれが地区灯１３や、複数の火災感知器３を多重伝送線Ｌを介して接続付加した感知器回線などの、機能ユニットのコントローラとして使用されている。
【００５８】
一方の図５では、メインマイコン１は、防災受信機に多重伝送線を介して接続された中継器Ｍ内に設けた多重伝送信号処理手段を含んだメインコントローラとして構成されており、複数のサブマイコン２は、防災中継器Ｒの多重伝送信号処理部に多重信号線Ｌを介して接続された防災端末機３として構成されている。
【００５９】
次に、第２の本発明につき、ポーリング伝送制御方法について、図６とともに説明する。
【００６０】
本方法によれば、メインマイコン１から複数のサブマイコン２に対して、アドレスを順次指定しながら問い合わせを循環的に行って、返ってくる返信信号を、予め設定された循環回数に区切って蓄積して解読する際に、いずれかのサブマイコン２の返信信号を不良と判断したときには、それ以降のサブマイコン２に対しては、循環回数をそれ以前よりも増加変更させて、問い合わせを循環的に継続して行う。
【００６１】
すなわち、メインマイコン１には、初期値として循環回数を例えば２回と設定しており、ポーリング伝送制御開始時には、この初期値を読み取り（２００）、ステップ２０１〜２０３、２０５の処理を循環的に実行する。
【００６２】
すなわち、初期値を読み取ってから（２００）、各サブマイコン２に対して、送信信号を送出し（２０１）、返信信号があればそれを蓄積して次のサブマイコン２への問い合わせを行う一方、返信信号がなければ受信エラーを報知して次のサブマイコン２への問い合わせを行う（２０２）。
【００６３】
ついで、循環回数が、ステップ２００で読み取った初期値に達したときには、蓄積した返信信号を解読して（２０３）、外来ノイズなどの混入による信号フォーマットの化けの有無を判断し、信号フォーマットの化けがあれば、重複回数の増加設定をする（２０４）。
【００６４】
なお、信号フォーマットの化けがないと判断すれば、返信信号の内容に基づいて各サブマイコン２に制御信号を送り、制御部による制御をさせる。ここで、制御信号の種類としては例えば警報制御信号があり、制御部としては防排煙機器の制御部がある。その場合、防排煙機器が作動される。
【００６５】
ここで、このようなステップ２０３、２０４の処理は、循環回数分返ってきた返信信号が、サブマイコン１個あたり２個あるので、そのうちいずれか１個でも信号化けがあれば、信号化けがあるものと判断し、循環回数の増加設定をすればよい。
【００６６】
なお、２個の返信信号のすべてが信号化けしていれば、ステップ２０４の処理をすることはいうまでもない。
【００６７】
ステップ２０４で循環回数の増加設定をしてからは、メインマイコン１は、その回数を読み取り、次の問い合わせからは、その回数分返信信号を蓄積して解読処理をするという処理を実行する。
【００６８】
なお、増加設定のパターンとしては、２回→３回→４回と順次多段階的に増加するパターンや、２回→５回、２回→６回とランダムに増加するパターンなどがあり、増加設定した後の信号化けの判断は、循環回数が例えば５回ならば、サブマイコン１個あたりの返信信号５個全てが信号化けしていればステップ２０４に進むパターン、サブマイコン１個あたりの返信信号５個中過半数である３個が信号化けしていればステップ２０４に進むパターンなどがある。
【００６９】
また、循環回数を増加設定した後、サブマイコン２からの返信信号を解読する際に、各サブマイコン２からの返信信号が一定個数信号化けしていなければ（２０６）、循環回数を初期値に変更設定し（２０７）、次の問い合わせからはその初期値で問い合わせを区切る。
【００７０】
なお、このような処理は、各サブマイコン２からの返信信号が５個であれば５個すべて信号化けしていないと判断したときや、過半数である３個信号化けしていないと判断したときに、循環回数を初期値に戻せばよい。
【００７１】
また、一定個数のサブマイコン２からの返信信号を監視し、その個数のサブマイオン２から１度も文字化けした返信信号がないときや、受信した返信信号中、信号化けしていないものが過半数未満であるときに、循環回数を初期値に戻してもよい。
【００７２】
このような処理をすることにより、サブマイコン２との情報交換の精度の善し悪し、すなわち、信号線ＬやバスＢの状態によって、同一のサブマイコン２との情報交換の回数を最適な回数に可変させることにより、伝送の信頼性を確保したまま、いたずらに監視時間をかけないようにできる。
【００７３】
次に、第２の本発明につき、多重伝送制御システムについて、図７〜９とともに説明する。図７は、本システムの概略構成の一例を示している。このものは、図３に示すシステムとは構成上ではポーリング循環回数変更手段１２’のみ相違しているが、機能上は、それ以外にも、ポーリング伝送処理部１０、ポーリング結果判断手段１１も相違している。
【００７４】
すなわち、ポーリング伝送処理部１０は、先述した循環回数が格納されており、必要に応じてその循環回数を読み出し、その回数分、各サブマイコン２に対する問い合わせを実行し、返ってきた返信信号の内容により、サブマイコン２に対する制御を行う。
【００７５】
なお、読み出した循環回数分、各サブマイコン２に問い合わせをした結果、いずれかのサブマイコン２から全く返信がない場合は、そのサブマイコン２については受信エラーと判断する。
【００７６】
また、ポーリング伝送処理部１０は、各サブマイコン２から返信信号を受信する毎に順次蓄積してゆき、循環回数分、各サブマイコン２に対する問い合わせを実行すれば、その間に蓄積した返信信号をポーリング結果判断手段１１に送出し、信号解読処理をさせる。
【００７７】
ポーリング結果判断手段１１は、ポーリング伝送処理部１０から送出された返信信号の状態により、信号化けの有無を判断する。すなわち、返信信号を解読して、外来ノイズなどによる信号化けがあるかどうかを判断する。
【００７８】
ポーリング循環回数変更手段１２’は、ポーリング結果判断手段１１による判断結果によって、循環回数の加減設定を行う。
【００７９】
このような構成とすることにより、上記したポーリング伝送制御方法を実現することができる。
【００８０】
図８、９は、第２の本発明システムの具体的な構成例を示している。すなわち、図８では、メインマイコン１は、防災受信機Ｒの多重伝送信号処理手段として構成されており、複数のサブマイコン２は、防災受信機Ｒに多重伝送線Ｌを通じて接続された防災中継器Ｍの多重伝送信号処理手段として構成されている。
【００８１】
また、図９では、メインマイコン１は、防災中継器Ｍの多重伝送信号処理手段として構成されており、複数のサブマイコン２は、防災中継器Ｍに多重伝送線Ｌを通じて接続された防災端末器３として構成されている。
【００８２】
【発明の効果】
以上の説明からも理解できるように、本発明のポーリング伝送制御方法によれば、各端末器との間で情報交換をしてそれらの状態を監視しているときに、情報交換の精度の善し悪し、すなわち、信号線や通信ラインの状態によって、同一のサブマイコンとの情報交換の回数を最適な回数に可変させることにより、伝送の信頼性を確保したまま、いたずらに監視時間をかけないようにできる。
【００８３】
また、本発明の多重伝送制御システムによれば、本発明のポーリング伝送制御方法を実現することができる。
【図面の簡単な説明】
【図１】第１の本発明方法を説明するためのフローチャートである。
【図２】第１の本発明方法を説明するための図である。
【図３】第１の本発明システムの概略構成の一例を示す図である。
【図４】第１の本発明システムの具体的な構成の一例を示す図である。
【図５】第１の本発明システムの具体的な構成の他例を示す図である。
【図６】第２の本発明方法を説明するためのフローチャートである。
【図７】第２の本発明システムの概略構成の一例を示す図である。
【図８】第２の本発明システムの具体的な構成の一例を示す図である。
【図９】第２の本発明システムの具体的な構成の他例を示す図である。
【符号の説明】
１・・・メインマイコン
２・・・サブマイコン
３・・・防災端末器
１０・・・ポーリング伝送処理部
１１・・・ポーリング結果判断手段
１２・・・ポーリング重複回数変更手段
１２’・・・ポーリング循環回数変更手段
１３・・・地区灯
２０・・・伝送処理部
Ｂ・・・バス
Ｌ・・・多重伝送線
ｌ・・・感知器回線
Ｒ・・・防災受信機
Ｍ・・・防災中継器
【図１】
2004120214.tif 000003
【図２】
2004120214.tif 000004
【図３】
2004120214.tif 000005
【図４】
2004120214.tif 000006
【図５】
2004120214.tif 000007
【図６】
2004120214.tif 000008
【図７】
2004120214.tif 000009
【図８】
2004120214.tif 000010
【図９】
2004120214.tif 000011